(57)【要約】【課題】嫌気性接着剤の螺子締結部からのはみ出しを防止し、ひいては、油圧機器の機能劣化を阻止して実用性を向上させることである。【解決手段】雌螺子４が形成される袋穴３を備えた雌螺子部材２と、袋穴３に螺合されるとともに袋穴３に嫌気性接着剤５によって接着される雄螺子部材６とを備え、雌螺子部材２および雄螺子部材６が油圧機器内で油浸状態とされる螺子締結部構造１において、雌螺子部材２あるいは雄螺子部材６に雌螺子部材２と雄螺子部材６の螺子締結行程において袋穴３内が雄螺子部材６で密封されることを阻止する抜孔８を設けた。【選択図】図１
2009002431.tif 000002
【特許請求の範囲】
【請求項１】
雌螺子が形成される袋穴を備えた雌螺子部材と、袋穴に螺合されるとともに袋穴に嫌気性接着剤によって接着される雄螺子部材とを備え、雌螺子部材および雄螺子部材が油圧機器内で油浸状態とされる螺子締結部構造において、雌螺子部材あるいは雄螺子部材に雌螺子部材と雄螺子部材の螺子締結行程において袋穴内が雄螺子部材で密封されることを阻止する抜孔を設けたことを特徴とする螺子締結部構造。
【請求項２】
抜孔は、雄螺子部材の袋穴に没入される先端から螺子締結部より基端側の部位に通じるように設けられることを特徴とする請求項１に記載の螺子締結部構造。
【請求項３】
雄螺子部材は、袋穴に没入される先端が小径とされるとともに、その先端の先端外周に雄螺子を備えており、抜孔は、雄螺子部材の先端端面から先端の雄螺子より基端側の部位に通じるように設けられることを特徴とする請求項１または２に記載の螺子締結部構造。
【請求項４】
抜孔は、雌螺子部材の外周と袋穴とを連通することを特徴とする請求項１に記載の螺子締結部構造。
【発明の詳細な説明】
【技術分野】
【０００１】
この発明は、油圧機器内で油浸状態とされる螺子締結部構造の改良に関する。
【背景技術】
【０００２】
雌螺子が形成される袋穴を備えた雌螺子部材と、袋穴に螺合されるとともに袋穴に嫌気性接着剤によって接着される雄螺子部材と備えた螺子締結部としては、たとえば、両ロッド型のダンパやシリンダのロッド同士の螺子締結部や、シリンダ内に収容されるピストン部材を中立位置に位置決めるピストン部材に設けた袋穴と当該袋穴に螺合されるボルト状のロッドとで構成される螺子締結部（たとえば、特許文献１参照）があり、その他にも緩衝器やシリンダといった油圧機器では構成部材同士を螺子締結する場合があり、そのような場合には油圧機器内に螺子締結部が出現することになる。
【０００３】
そして、油圧機器内には、当然ながら作動油が充填される事になるので、上記した雌螺子部材および雄螺子部材の双方は油浸状態とされることになる。
【０００４】
また、螺子による締結は、締結される部材同士を強固に締結できる反面、締結される部材に振動等が作用すると緩みが生じて締結部材の締結が解かれてしまうといった一面をもっており、緩み防止を螺子締結部に施す事が油圧機器を機能不全に陥らせない上で必要となってくる。
【０００５】
この緩み防止の一策として、雌螺子部と雄螺子部とを接着剤で接着し緩みを防止するものがある。この場合、油圧機器にあっては油圧が作用するため締結部材を金属製とすることが多いことから、接着剤としては、特に、金属同士を強固に接着することが可能な嫌気性接着剤が用いられることがある。
【特許文献１】特開２００７−２９３９号公報（図１）
【発明の開示】
【発明が解決しようとする課題】
【０００６】
ここで螺子締結部に嫌気性接着剤を用いて緩みを防止するには、雌螺子部材の袋穴の雌螺子、あるいは、雄螺子部材の雄螺子部分に嫌気性接着剤を塗布しておき、その後、上記雌螺子部材を雌螺子に螺合するようにするが、そうすると、袋穴内が雄螺子部材によって密閉されるとともに、雄螺子部材の螺合が進むと密閉された袋穴の容積が減少し袋穴内の気体が圧縮されて圧力上昇を来たす。
【０００７】
そして、この加圧された袋穴内の気体は、袋穴の雌螺子と雄螺子部材に塗布されている嫌気性接着剤を雌螺子と雄螺子部材との間から押しやって、嫌気性接着剤が袋穴の外方へはみ出してしまう。
【０００８】
このように、嫌気性接着剤が袋穴の外方へはみ出してしまうと、雌螺子と雄螺子とで構成される螺子締結部における嫌気性接着剤の量がその分減少して充分に緩み止めとしての機能を発揮できない場合があり、さらに、嫌気性接着剤は、空気が遮断されて金属イオンと接する事で硬化するものであるから、袋穴の外方へはみ出した嫌気性接着剤は硬化不良となってその場に留まることになる。
【０００９】
そして、その状態で、締結部材である雌螺子部材と雄螺子部材とを油圧機器内に収容するなどして、当該機器内に作動油を充填して上記締結部材が油浸されると、硬化不良となった嫌気性接着剤が作動油中で空気が遮断された状態となって硬化するか液体のまま作動油中に浮遊してコンタミナントとなり、油圧機器のシール部に入り込んでシール性を悪化させたり、バルブやオイルフィルタ等を根詰まりさせたりして、油圧機器の機能を劣化させる原因となる虞がある。
【００１０】
そこで、本発明は上記不具合を改善するために創案されたものであって、その目的とするところは、嫌気性接着剤の袋穴からのはみ出しを防止し、螺子締結部の緩み止めを確実なものとし、にひいては、油圧機器の機能劣化を阻止して実用性を向上させることである。
【課題を解決するための手段】
【００１１】
上記した目的を達成するために、本発明の課題解決手段は、雌螺子が形成される袋穴を備えた雌螺子部材と、袋穴に螺合されるとともに袋穴に嫌気性接着剤によって接着される雄螺子部材とを備え、雌螺子部材および雄螺子部材が油圧機器内で油浸状態とされる螺子締結部構造において、雌螺子部材あるいは雄螺子部材に雌螺子部材と雄螺子部材の螺子締結行程において袋穴内が雄螺子部材で密封されることを阻止する抜孔を設けた。
【発明の効果】
【００１２】
本発明の螺子締結部構造によれば、雄螺子部材の雄螺子を雌螺子に螺合していく過程において、袋穴内が抜孔の存在によって雄螺子部材で密封されることが阻止されているので、袋穴内の気体を圧縮せず、袋穴内の圧力上昇を引き起こす事がなく、袋穴内の気体の圧力によって嫌気性接着剤が螺子締結部より押し出されて袋穴の外へはみ出してしまう事が無く、嫌気性接着剤が雌螺子と雄螺子との間にしっかりと留まる。
【００１３】
さらに、嫌気性接着剤が雌螺子と雄螺子との間にしっかりと留まり、適量の嫌気性接着剤が螺子締結部にて硬化するので、螺子締結部の緩み止めを確実なものとすることができる。
【００１４】
したがって、このように構成された螺子締結部構造が具現化された雌螺子部材と雄螺子部材が油圧機器内で油浸状態とされても、嫌気性接着剤が作動油中に浮遊してコンタミナントとなる事もなく、油圧機器のシール性を悪化させたり、バルブやオイルフィルタ等を根詰まりさせたりすることが確実に回避され、油圧機器の機能劣化を阻止して実用性を向上させることができる。
【発明を実施するための最良の形態】
【００１５】
以下に、図示した一実施の形態に基づいて、この発明を説明する。図１は、一実施の形態における螺子締結部構造が具現化した螺子締結部の断面図である。図２は、一実施の実施の形態の変形例における螺子締結部構造が具現化した螺子締結部の断面図である。図３は、他の実施の形態の変形例における螺子締結部構造が具現化した螺子締結部の断面図である。
【００１６】
一実施の形態における螺子締結部構造１は、図１に示すように、雌螺子４が形成される袋穴３を備えた雌螺子部材２と、袋穴３に螺合されるとともに袋穴３に嫌気性接着剤５によって接着される雄螺子部材６とを備えて構成され、袋穴３に設けられた雌螺子４と雄螺子部材６に形成された雄螺子７とで螺子締結部９が構成されている。そして、上述した雌螺子部材２と雄螺子部材６は図示しない油圧機器内で油浸状態とされている。
【００１７】
以下、各部について詳細に説明すると、雌螺子部材２は、本体２ａと、本体２ａに穿設される袋穴３と、袋穴３の側壁部分に形成される雌螺子４とを備えており、袋穴３は、本体２ａを貫通しない穴とされている。
【００１８】
他方、雄螺子部材６は、この場合、ロッド状とされており、図１中下端となる先端６ａが小径とされて段部６ｂが形成されるとともに、先端６ａにおける下端外周に雄螺子７が形成されている。
【００１９】
そして、この場合、段部６ｂが雌螺子部材２の本体２ａの図１中上面に当接するまで、雄螺子部材６の先端６ａを雌螺子部材２の袋穴３の雌螺子４に螺合させて、雌螺子部材２と雄螺子部材６とが螺子締結される事になる。
【００２０】
また、雄螺子部材６は、袋穴３に没入される先端６ａの図１中下端から螺子締結部９より基端側となる図１中上方側の部位、この実施の形態では、先端６ａにおける雄螺子７より上側の部分６ｃに通じるように設けられる抜孔８を備えており、上述のように、雌螺子部材２と雄螺子部材６とを螺子締結していく過程では、袋穴３内は、上記抜孔８を介して外部へと連通されて、袋穴３の雄螺子部材６による密封が阻止される。なお、抜孔８の一方の出口は、螺子締結部９より基端側の部位に設ければよいので、段部６ｂより図中上方側の任意の部位に通じるようにしてもよい。
【００２１】
つづいて、これら雌螺子部材２と雄螺子部材６とを螺子締結する手順について説明すると、まず、雌螺子部材２の袋穴３の側壁に形成された雌螺子４に嫌気性接着剤５を塗布する。してから、雄螺子部材６の雄螺子７を上記した雌螺子４に段部６ｂが本体２ａの上面に当接するまで螺合する。
【００２２】
この雄螺子部材６の雄螺子７を雌螺子４に螺合していく過程、すなわち、雌螺子部材２と雄螺子部材６の螺子締結行程において、袋穴３内が抜孔８の存在によって雄螺子部材６で密封されることが阻止されているので、袋穴３内の気体を圧縮せず、袋穴３内の圧力上昇を引き起こす事がなく、袋穴３内の気体の圧力によって嫌気性接着剤５が螺子締結部９より押し出されて雌螺子部材２の本体２ａの上面と雄螺子部材６の段部６ｂとの間の隙間から外方へはみ出してしまう事が無い。つまり、袋穴３の外方に嫌気性接着剤がはみ出してしまう事が無い。
【００２３】
そして、雌螺子部材２と雄螺子部材６の螺子締結行程後には、雄螺子部材６の雄螺子７を上記した雌螺子４に段部６ｂが本体２ａの上面に当接するまで螺合された状態となるので、袋穴３内が外気と遮断されて嫌気性接着剤５は、雌螺子４と雄螺子７との間で空気が遮断された状態におかれ、雌螺子４と雄螺子７とで形成される螺子締結部９にて硬化する。
【００２４】
したがって、このように構成された螺子締結部構造が具現化された雌螺子部材２と雄螺子部材６が図外の油圧機器内で油浸状態とされても、嫌気性接着剤１５の袋穴３外へのはみ出しが無いので、嫌気性接着剤５が作動油中に浮遊してコンタミナントとなる事もなく、油圧機器のシール性を悪化させたり、バルブやオイルフィルタ等を根詰まりさせたりすることが確実に回避され、油圧機器の機能劣化を阻止して実用性を向上させることができる。
【００２５】
さらに、袋穴３内の気体の圧力によって嫌気性接着剤５が螺子締結部９より押し出されてしまうことが無いから、嫌気性接着剤５が雌螺子４と雄螺子７との間にしっかりと留まり、適量の嫌気性接着剤５が螺子締結部９にて硬化するので、螺子締結部９の緩み止めを確実なものとすることができる。
【００２６】
また、本実施の形態の場合、抜孔８が袋穴３に没入される先端６ａの下端から螺子締結部９より基端側となる部位である先端６ａにおける雄螺子７より上側の部分６ｃに通じるように設けられているので、雌螺子部材２と雄螺子部材６とを螺子締結するのみで、螺子締結行程においては袋穴３内を密封せず、螺子締結行程後には、袋穴３を密封できるので、別途栓を用いて抜孔８を塞いで嫌気性接着剤の硬化を促す必要も無い。
【００２７】
なお、抜孔８の一方の出口が、雄螺子部材６の段部６ｂより図中上方側の任意の部位に通じている場合には、雌螺子部材２と雄螺子部材６の螺子締結行程後に栓で塞ぐようにしてもよい。さらに、この実施の形態の場合、抜孔８は、Ｔ字状とされて雄螺子部材６の先端６ａの下端から先端６ａにおける雄螺子７より上側の部分６ｃの両側に抜けるようになっているが、抜孔８の形状は、上記部分６ｃの片側のみに通じるＬ字状とされてもよい。
【００２８】
またさらに、図２に示すように、雄螺子部材６の先端６ａに軸方向に沿ってスリット６ｄを設けてこれを抜孔としてもよい。このようにしても、雌螺子部材２と雄螺子部材６の螺子締結行程において袋穴３内が密封されないので、嫌気性接着剤５が螺子締結部９より押し出されてしまうことが無いから、嫌気性接着剤５が袋穴３外へはみ出してしまう事が阻止される。したがって、上記した作用効果を享受する事ができる。上述したところから理解できるように、螺子締結行程において袋穴３内が密封されないようにすればよいので、雄螺子部材６の先端６ａの横断面形状をＤ字状としたり、二面幅形状としたりして、袋穴３の内周と雄螺子部材６の外周との間に隙間を設けて、当該隙間を抜孔として利用してもよい。
【００２９】
つづいて、他の実施の形態における螺子締結部構造１１について説明する。この他の実施の形態における螺子締結部構造１１は、一実施の形態の螺子締結部構造１とことなり、抜孔１８が雌螺子部材１２に設けられている。
【００３０】
詳しく説明すると、他の実施の形態における螺子締結部構造１１は、図３に示すように、雌螺子１４が形成される袋穴１３を備えた雌螺子部材１２と、袋穴１３に螺合されるとともに袋穴１３に嫌気性接着剤１５によって接着される雄螺子部材１６とを備えて構成され、袋穴１３に設けられた雌螺子１４と雄螺子部材１６に形成された雄螺子１７とで螺子締結部１９が構成されている。そして、この場合にも、雌螺子部材１２と雄螺子部材１６とが図示しない油圧機器内で油浸状態とされている。
【００３１】
この実施の形態の場合、雌螺子部材１２は、本体１２ａと、本体１２ａに穿設される袋穴１３と、袋穴１３の側壁部分に形成される雌螺子１４と、本体１２ａの外周と袋穴１３とを連通すること抜孔１８とを備えて構成されている。したがって、この実施の形態の場合、袋穴１３自体は、本体１２ａを貫通しない穴とされているものの、上記抜孔１８によって雌螺子部材１２の外方に連通されている。
【００３２】
他方、雄螺子部材１６は、ロッド状とされており、図２中下端となる先端１６ａが小径とされて段部１６ｂが形成されるとともに、先端１６ａの外周に雄螺子１７が形成されている。
【００３３】
そして、段部１６ｂが雌螺子部材１２の本体１２ａの図２中上面に当接するまで、雄螺子部材１６の先端１６ａを雌螺子部材１２の袋穴１３の雌螺子１４に螺合させて、雌螺子部材１２と雄螺子部材１６とを螺子締結することになるが、螺子締結行程時には、袋穴１３内は、上記抜孔１８を介して外部へと連通されて、袋穴１３の雄螺子部材１６による密封が阻止される。なお、抜孔１８は、袋穴１３の雄螺子部材１６による密封を阻止するため、雄螺子部材１６の先端１６ａで閉塞されない位置に設けられることは当然である。また、抜孔１８は、図示したところでは、本体１２ａの側方外周に通じるようになっているが、本体１２ａの上方外周となる上面に通じても、図外の下方外周となる下面に通じるようにしてもよい。
【００３４】
したがって、この他の実施の形態における螺子締結部構造１１にあっても、嫌気性接着剤１５が袋穴１３外へはみ出す事がなく、雌螺子１４と雄螺子１７との間で空気が遮断された状態におかれて硬化することになり、適量の嫌気性接着剤１５が螺子締結部１９より押し出されてしまうことも無いので、嫌気性接着剤１５が雌螺子１４と雄螺子１７との間にしっかりと留まって螺子締結部１９を確実に緩み止めすることになる。なお、この実施の形態の場合には、嫌気性接着剤１５の硬化を促すべく、螺子締結工程後に、抜孔１８を栓２０で閉塞するようにすればよい。
【００３５】
よって、このように他の実施の形態における螺子締結部構造が具現化された雌螺子部材１２と雄螺子部材１６とが図外の油圧機器内で油浸状態とされても、嫌気性接着剤１５の袋穴３外へのはみ出しが無いので、嫌気性接着剤１５が作動油中に浮遊してコンタミナントとなる事もなく、油圧機器のシール性を悪化させたり、バルブやオイルフィルタ等を根詰まりさせたりすることが確実に回避され、油圧機器の機能劣化を阻止して実用性を向上させることができる。
【００３６】
なお、本発明は、上述したように、油浸状態におかれる螺子締結部を備えた油圧機器であればどのような油圧機器にも具現化することが可能で、上記作用効果を奏することが可能である。
【００３７】
以上で、本発明の実施の形態についての説明を終えるが、本発明の範囲は図示されまたは説明された詳細そのものには限定されないことは勿論である。
【図面の簡単な説明】
【００３８】
【図１】一実施の形態における螺子締結部構造が具現化した螺子締結部の断面図である。
【図２】一実施の実施の形態の変形例における螺子締結部構造が具現化した螺子締結部の断面図である。
【図３】他の実施の形態の変形例における螺子締結部構造が具現化した螺子締結部の断面図である。
【符号の説明】
【００３９】
１，１１  螺子締結部構造
２，１２  雌螺子部材
２ａ，１２ａ  雌螺子部材の本体
３，１３  袋穴
４，１４  雌螺子
５，１５  嫌気性接着剤
６，１６  雄螺子部材
６ａ，１６ａ  雄螺子部材の先端
６ｂ，１６ｂ  雄螺子部材の段部
６ｃ  雄螺子部材の先端における雄螺子より上側の部分
６ｄ  抜孔として機能するスリット
７，１７  雄螺子
８，１８  抜孔
９，１９  螺子締結部
２０  栓
【図１】
2009002431.tif 000003
【図２】
2009002431.tif 000004
【図３】
2009002431.tif 000005